(57)【要約】      （修正有）【課題】空気排出用シートが頭部において突出しない状態にて接続できるようなダイビングフードの構成を提供する。【解決手段】頭部外側面に伸縮及び折り曲げ自在の状態であって、フードの外側及び内側と連通している平坦状の穴を設けている空気排出シート２を、当該シート２の平面方向に沿って頭部の外側面に貼着しており、前記平坦状の穴２１は、水圧によって水の浸入を防止し得る一方、フード内に充満した空気の圧力が所定の段階に達した場合には、前記空気を水中に排出し、空気圧が前記所定の段階に至っていない段階では、前記空気を水中に排出せず、前記の侵入を防止し得る状態を維持し得る程度の隙間を形成していることに基づき、前記課題を達成することができるダイビングフード。【選択図】図１
0003152624.tif 000002
【実用新案登録請求の範囲】
【請求項１】
頭部外側面に伸縮及び折り曲げ自在の状態であって、フードの外側及び内側と連通している平坦状の穴を設けている空気排出シートを、当該シートの平面方向に沿って頭部の外側面に貼着しており、前記平坦状の穴は、水圧によって水の浸入を防止し得る一方、フード内に充満した空気の圧力が所定の段階に達した場合には、前記空気を水中に排出し、空気圧が前記所定の段階に至っていない段階では、前記空気を水中に排出せず、前記の侵入を防止し得る状態を維持しうる程度の隙間を形成していることに基づくダイビングフード。
【請求項２】
空気排出シートが二重平面の積層によって構成されており、かつ平坦形状の穴の周囲が二重層同士の貼着によって形成されていることを特徴とする請求項１記載のダイビングフード。
【請求項３】
空気排出シートの平面形状が矩形又は円形状であることを特徴とする請求項１，２の何れか１項に記載のダイビングフード。
【請求項４】
空気排出シートが頭部の頂部のやや後方に位置していることを特徴とする請求項１記載のダイビングフード。
【考案の詳細な説明】
【技術分野】
【０００１】
本考案は、水中におけるダイビングに使用する空気排出シートの構成を改良したダイビングフードに関するものである。
【背景技術】
【０００２】
ダイビングマスクにおいては、図４に示すように眼部及び口部の開口部を設けており、前記眼部を外側のボーゲル（水中眼鏡）によって覆い、かつ口部の開口部から嵌入された空気導入パイプを介して、ダイバーは呼吸を行うが、水深に伴う水圧によって水中マスクが顔面に圧迫されるのを解消するため、時に鼻から排気をして水中マスク内の気圧を高め水圧とのバランスを取る行為を行うことがある。
【０００３】
そしてフード内に空気が溜まると浮力が発生して潜水活動に支障をきたすため排気する必要がある。
【０００４】
そのためにフード内の空気は排出するが、保温確保のため、外部からフード内への水は浸入しないという排気弁構造を付与する必要がある。
【０００５】
このような配気によってダイビングフード内は、ダイバーが吐き出した空気が充満しており、当該充満した空気を外部に排出する為のシート、即ち空気排出シートを備えている。
【０００６】
前記空気排出シートは、伸縮性を有し、かつ折り曲げ自在の素材を採用しており、かつ平坦状の穴を有しているが、従来技術の空気排出用シートは図５（ａ）（ｂ）に示すように、頭部の外側から略直交状態又は斜交状態にて接続し、かつ前記平坦状の穴２１が頭部の内側面と防水状態にて接続する構成が採用されていた。
【０００７】
しかしながら、このような従来技術の構成では、必然的に排出用シート２が１箇所又は２箇所、頭部の外側から突出している状態となり、ダイビングの際、外部の物と接触又は衝突するという支障が生ずる点、及び如何にも“鬼の角”のような外観を呈する点において、不都合を免れることが出来なかった。
【０００８】
他方、例えば特許文献１に示すように、フードフレームに通気孔アッセンブリを設けるような構成の場合には、前記のような不都合から離れることが出来るが、通気孔アッセンブリの場合には、水の透過が生ずるため、ダイビングフードに適用することが出来ない。
【先行技術文献】
【特許文献】
【０００９】
【特許文献１】特開２００７−１６７６７１号公報
【考案の概要】
【考案が解決しようとする課題】
【００１０】
本考案は、空気排出用シートが頭部において突出しない状態にて接続できるようなダイビングフードの構成を提供することを課題としている。
【課題を解決するための手段】
【００１１】
前記課題を解決するため、本考案の基本構成は、頭部外側面に伸縮及び折り曲げ自在の状態であって、フードの外側及び内側と連通している平坦状の穴を設けている空気排出シートを、当該シートの平面方向に沿って頭部の外側面に貼着しており、前記平坦状の穴は、水圧によって水の浸入を防止し得る一方、フード内に充満した空気の圧力が所定の段階に達した場合には、前記空気を水中に排出し、空気圧が前記所定の段階に至っていない段階では、前記空気を水中に排出せず、前記の侵入を防止し得る状態を維持しうる程度の隙間を形成していることに基づくダイビングフードからなる。
【考案の効果】
【００１２】
前記基本構成に基づき、本考案のダイビングフードにおいては、頭部において、空気排出用シートが突出せずに平面方向に沿って接続されているので、ダイビングに際し、他の物との衝突を避け、しかも従来技術の空気排出シートのような不細工な外観を避けることが可能となる。
【図面の簡単な説明】
【００１３】
【図１】平面方向が略矩形の場合の空気排出用シートの形状を示しており、（ａ）は平坦状の穴に沿った平面方向の状態を示す側断面図であり、（ｂ）は平面方向と直交し、平坦状の穴が端部に存在する方向の側面図であり、（ｃ）は平面方向と直交し、かつ平坦状の穴とカバーシートとの連通部分に沿った方向の側断面図であり、（ｄ）は平坦シートにおいてダイビングフードを形成しているカバーシートと接合する側の平面図である。
【図２】平面方向が略円形場合の空気排出用シートの形状を示しており、（ａ）は平坦状の穴に沿った平面方向の状態を示す側断面図であり、（ｂ）は平面方向と直交し、平坦状の穴が端部に存在する方向の側面図であり、（ｃ）は平面方向と直交し、かつ平坦状の穴とカバーシートとの連通部分に沿った方向の側断面図であり、（ｄ）は平坦シートにおいてダイビングフードを形成しているカバーシートと接合する側の平面図である。
【図３】本考案に係る空気排出用シートを頭部のやや後方に貼着した実施形態の後方側面図である。
【図４】ダイビングフードの前方顔面を示す側面図である。
【図５】従来技術における空気排出用シートの接続構造を示す断面図であって、（ａ）は１個の空気排出用シートを採用した場合を示しており、（ｂ）は２個の空気排出用シートを採用した場合を示す。
【考案を実施するための形態】
【００１４】
最初に本考案に基本原理について説明する。
【００１５】
空気排出用シート内における平坦状の穴２１は、図１（ａ）、（ｂ）、（ｃ）、（ｄ）及び図２（ａ）、（ｂ）、（ｃ）、（ｄ）に示すように、一方では頭部をカバーする内側面と連通する一方、外部とも連通している（尚、図１（ａ）、及び図２（ａ）においては、平坦形状の穴２１が両端側に付されている場合を示すが、片側に形成される場合も採用される。但し、両端側に形成した方が排気効率上好ましい。）。
【００１６】
前記平坦状の穴２１は、頭部と接続している反対側の面から水圧Ｐによって、外側から平坦方向と直交する方向に圧力が作用している。
【００１７】
これに対し、ダイビングフード１内に充満した空気の圧力をＰ0とした場合、しかも前記平坦状の穴２１内を空気側が通過し得る状態に至ることは、空気圧Ｐ0によって空気が通過する隙間を形成することを意味している以上、
Ｐ0≧Ｐ・・・（１）
の関係が成立することになる。
【００１８】
したがって、前記不等式によって空気圧Ｐ0は両端又は一方端の水圧に打ち勝って空気が外部に排出されることになる。
【００１９】
逆に
Ｐ0＜Ｐ・・・・（２）
の関係が成立する場合には、ダイビングフード１の内部に充満した空気は、水圧によって押圧されている平坦状の穴２１において、当該空気自体を通過させる為の隙間を形成することが出来ないため、外部に空気を排出することが出来ない。
【００２０】
かくして、本考案においても、従来技術の場合と同様に、ダイビングフード内に充満した空気圧は、周囲の水圧以上となった段階において排出用シート２の平坦状の穴を介して上に排出されることになる。
【００２１】
本考案においては、排出用シートが図４（ａ）（ｂ）に示すように、頭部に突設されておらず、図１（ａ）、（ｂ）に示すように、頭部を形成しているカバーシート１１の上に積層された状態にて固着されており、しかも平坦状の穴２１はダイビングフードの外部及び内部と連通している。
【００２２】
このような連通状態によって不等式（２）から不等式（１）に変化した場合には、内部に充満した空気は、前記連通部分、更には平坦状の穴を介して外部に排出されることになる。
【００２３】
図１（ａ）、（ｂ）、（ｃ）及び図２（ａ）、（ｂ）、（ｃ）に示すような空気排出シート２の頭部外側面に対する接合は、防水状態、即ち接合部分に対する水の浸入を防いだ状態の接合と当然の前提としているが、そのような接合は、通常接着剤を介した貼着によって実現されている。
【００２４】
空気排出シート２において平坦状の穴２１を形成する場合には、一枚のシートにおいて、平坦状の刃物を挿貫することによって平坦状の穴を穿設する場合と、二枚のシートを二層に積層し、平坦状の穴２１以外の部位を相互に貼着する場合の何れをも採用可能である（尚、図１（ｄ）及び図２（ｄ）の細線は前記のような貼着が行われている部位を示す）。
【００２５】
本考案に係る空気排出シート２の平面形状は、特に限定される訳ではない。
【００２６】
製造状の便宜を考慮し、図１に示すように矩形状を採用する場合が多い。
【００２７】
しかしながら、例えば図２に示すように、平面形状として略円形であって、しかもそのうち一部の円弧状の端部において外部に空気を排出するように平坦状の穴を形成する実施形態も当然採用可能である。
【実施例】
【００２８】
実施例においては、図３に示すように、空気排出シート２が頭部の頂部のやや後方に位置していることを特徴としている。
【００２９】
このような実施例においては、空気排出シート２が頭部の頂部よりもやや後方に位置しているため、ダイバーが水中を歩行する際、又は遊泳する際、空気排出シート２が他の物に接触する機会を減少することができ、極めて便利である。
【産業上の利用可能性】
【００３０】
本考案は、ダイビング及び潜水に使用するフードの全分野において使用することが出来る。
【符号の説明】
【００３１】
１  ダイビングフード
１１  ダイビングフードを形成しているカバーシート
２  空気排出シート
２１  平坦状の穴
３  カバーシート１１のうち、平坦状の穴に対する連通部分
【図１】
0003152624.tif 000003
【図２】
0003152624.tif 000004
【図３】
0003152624.tif 000005
【図４】
0003152624.tif 000006
【図５】
0003152624.tif 000007